(57)【要約】【課題】より短時間で照明機器に対して所望の調整を行うこと。【解決手段】実施形態の電子機器は、入力表示制御部と、変換部と、送信部とを備えている。入力表示制御部は、照明機器の照明制御に関する一または複数の制御パラメータを設定可能な設定領域を表示部に表示するとともに、設定領域に対するタッチ操作を受け付ける。変換部は、設定領域上でのタッチ操作の位置座標を、位置座標に応じた一または複数の制御パラメータに変換する。送信部は、一または複数の制御パラメータのうち少なくとも一つを示す制御コマンドを、照明機器に送信し、タッチ操作が継続して行われた場合に、継続的なタッチ操作の位置座標に応じた一または複数の制御パラメータのうち少なくとも一つを示す制御コマンドを、所定の送信間隔で、照明機器に送信する。【選択図】図２
2015046261.tif 000002
【特許請求の範囲】
【請求項１】
照明機器の照明制御に関する一または複数の制御パラメータを設定可能な設定領域を表示部に表示するとともに、前記設定領域に対するタッチ操作を受け付ける入力表示制御部と、
前記設定領域上での前記タッチ操作の位置座標を、前記位置座標に応じた前記一または複数の制御パラメータに変換する変換部と、
前記一または複数の制御パラメータのうち少なくとも一つを示す制御コマンドを、前記照明機器に送信し、前記タッチ操作が継続して行われた場合に、継続的な前記タッチ操作の位置座標に応じた前記一または複数の制御パラメータのうち少なくとも一つを示す制御コマンドを、所定の送信間隔で、前記照明機器に送信する送信部と、
を備えた電子機器。
【請求項２】
前記送信間隔は、前記照明機器の前記制御パラメータが１段階変化するために要する時間を示すフェードパラメータに基づいて設定される、
請求項１に記載の電子機器。
【請求項３】
前記送信間隔は、前記フェードパラメータが大きい程、長い時間に設定される、
請求項２に記載の電子機器。
【請求項４】
前記変換部は、継続的な前記タッチ操作が終了した時点で、終了した時点での前記タッチ操作の位置座標から変換された前記一または複数の制御パラメータを確定し、
前記電子機器は、
確定された前記一または複数の制御パラメータを、記憶部に保存する管理部、
をさらに備えた請求項１に記載の電子機器。
【請求項５】
前記入力表示制御部は、前記記憶部に保存された前記一または複数の制御パラメータに対する照明表示と、現在の前記タッチ操作の位置座標に応じた前記一または複数の制御パラメータに対する照明表示とを、前記表示部に並列して表示する、
請求項４に記載の電子機器。
【請求項６】
前記入力表示制御部は、前記設定領域を、前記表示部の表示画面の一部の領域に表示する、
請求項１に記載の電子機器。
【請求項７】
照明機器の照明制御に関する一または複数の制御パラメータを設定可能な設定領域を表示部に表示し、
前記設定領域に対するタッチ操作を受け付け、
前記設定領域上での前記タッチ操作の位置座標を、前記位置座標に応じた前記一または複数の制御パラメータに変換し、
前記一または複数の制御パラメータのうち少なくとも一つを示す制御コマンドを、前記照明機器に送信し、前記タッチ操作が継続して行われた場合に、継続的な前記タッチ操作の位置座標に応じた前記一または複数の制御パラメータのうち少なくとも一つを示す制御コマンドを、所定の送信間隔で、前記照明機器に送信する、
ことをコンピュータに実行させるためのプログラム。
【請求項８】
電子機器と、前記電子機器とネットワークで接続される照明機器と、を備えた制御システムであって、
前記電子機器は、
照明機器の照明制御に関する一または複数の制御パラメータを設定可能な設定領域を表示部に表示するとともに、前記設定領域に対するタッチ操作を受け付ける入力表示制御部と、
前記設定領域上での前記タッチ操作の位置座標を、前記位置座標に応じた前記一または複数の制御パラメータに変換する変換部と、
前記一または複数の制御パラメータのうち少なくとも一つを示す制御コマンドを、前記照明機器に送信し、前記タッチ操作が継続して行われた場合に、継続的な前記タッチ操作の位置座標に応じた前記一または複数の制御パラメータのうち少なくとも一つを示す制御コマンドを、所定の送信間隔で、前記照明機器に送信する送信部と、を備え、
前記照明機器は、
点灯部と、
前記電子機器から前記制御コマンドを受信する受信部と、
受信した前記制御コマンドで示される前記一または複数の制御パラメータに基づいて前記点灯部の照明制御を行う制御部と、
を備えた制御システム。
【発明の詳細な説明】
【技術分野】
【０００１】
本発明の実施形態は、電子機器、プログラムおよび制御システムに関する。
【背景技術】
【０００２】
近年、調光または調色機能等を搭載した照明機器が普及している。このような照明機器では、赤外線を利用したリモートコントローラを用いて、所望の色調、明るさ等の調整が可能となっている。
【先行技術文献】
【特許文献】
【０００３】
【特許文献１】特開２００８−１０８５９８号公報
【発明の概要】
【発明が解決しようとする課題】
【０００４】
このような従来技術では、より短時間で照明機器に対して所望の調整を行うことが望まれている。
【課題を解決するための手段】
【０００５】
実施形態の電子機器は、入力表示制御部と、変換部と、送信部とを備えている。入力表示制御部は、照明機器の照明制御に関する一または複数の制御パラメータを設定可能な設定領域を表示部に表示するとともに、設定領域に対するタッチ操作を受け付ける。変換部は、設定領域上でのタッチ操作の位置座標を、位置座標に応じた一または複数の制御パラメータに変換する。送信部は、一または複数の制御パラメータのうち少なくとも一つを示す制御コマンドを、照明機器に送信し、タッチ操作が継続して行われた場合に、継続的なタッチ操作の位置座標に応じた一または複数の制御パラメータのうち少なくとも一つを示す制御コマンドを、所定の送信間隔で、照明機器に送信する。
【図面の簡単な説明】
【０００６】
【図１】図１は、本実施形態にかかる照明制御システムのネットワーク構成、および電子機器のハードウェア構成の一例を示す図である。
【図２】図２は、本実施形態にかかる電子機器の機能的構成の一例を示すブロック図である。
【図３】図３は、本実施形態の２次元制御パラメータ設定画面の一例を示す図である。
【図４】図４は、本実施形態の２次元制御パラメータ設定画面の他の例を示す図である。
【図５】図５は、本実施形態のシーン選択画面の一例を示す図である。
【図６】図６は、本実施形態にかかる照明機器の機能的構成の一例を示すブロック図である。
【図７】図７は、本実施形態にかかる照明制御処理の手順を示すフローチャートである。
【図８】図８は、本実施形態の変形例の２次元制御パラメータ設定画面を示す図である。
【図９】図９は、本実施形態の変形例の２次元制御パラメータ設定画面の他の例を示す図である。
【発明を実施するための形態】
【０００７】
本実施形態の照明制御システムは、図１に示すように、電子機器１００と、照明機器２００がインターネット等のネットワークに接続された構成となっている。
【０００８】
照明機器２００は、ＬＥＤ（Ｌｉｇｈｔ  Ｅｍｉｔｔｉｎｇ  Ｄｉｏｄｅ）を利用した照明器具である。本実施形態では、赤色ＬＥＤ、緑色ＬＥＤ、青色ＬＥＤを用いている。照明機器２００は、電子機器１００からの制御により、色調、明るさ等の調整が可能となっている。
【０００９】
電子機器１００は、照明機器２００に対する照明制御を行うリモートコントローラとして機能する携帯端末である。電子機器１００は、例えば、タッチパネルを備えたスマートフォン等の携帯電話、タブレット端末、スレート端末等として実現されている。電子機器１００は、所定の照明制御アプリケーションプログラムを実行することにより照明機器２００に対する照明制御を行うようになっている。ここで、電子機器１００と照明機器２００との間の通信は、ＥＣＨＯＮＥＴ  Ｌｉｔｅ規格に準拠して行われる。
【００１０】
図１に示すように、電子機器１００は、表示部１０２、ＣＰＵ（Ｃｅｎｔｒａｌ  Ｐｒｏｃｅｓｓｉｎｇ  Ｕｎｉｔ）１１６、グラフィクスコントローラ１１８、タッチパネルコントローラ１１９、不揮発性メモリ１２０、ＲＡＭ（Ｒａｎｄｏｍ  Ａｃｃｅｓｓ  Ｍｅｍｏｒｙ）１２１、通信Ｉ／Ｆ１２３及びセンサ群１０６等を備える。この他、電子機器１００は、カメラやマイク、スピーカなどを備えていても良い。
【００１１】
表示部１０２は、ディスプレイ１０２ａとタッチパネル１０２ｂとを組み合わせた、いわゆるタッチスクリーンとして構成される。ディスプレイ１０２ａは、例えば、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイなどである。タッチパネル１０２ｂは、ユーザの指やスタイラスペンなどによってタッチされたディスプレイ１０２ａの表示画面上の位置（タッチ位置）を検知する。
【００１２】
不揮発性メモリ１２０は、オペレーションシステムや各種のアプリケーションプログラムの実行に必要な各種データなどを記憶する。ＣＰＵ１１６は、電子機器１００の動作を制御するプロセッサであり、電子機器１００の各コンポーネントを制御する。ＣＰＵ１１６は、不揮発性メモリ１２０からＲＡＭ１２１にロードされる、オペレーティングシステム、照明制御アプリケーションプログラムを含む各種アプリケーションプログラムを実行することで、後述する各機能部（図２参照）を実現する。ＲＡＭ１２１は、電子機器１００のメインメモリとして、ＣＰＵ１１６がプログラムを実行する際の作業領域を提供する。
【００１３】
グラフィクスコントローラ１１８は、表示部１０２のディスプレイ１０２ａを制御する表示コントローラである。タッチパネルコントローラ１１９は、タッチパネル１０２ｂを制御し、ユーザによるタッチ位置を示す座標データをタッチパネル１０２ｂから取得する。
【００１４】
通信Ｉ／Ｆ１２３は、ＣＰＵ１１６による制御のもとで、照明機器２００との間の無線通信や、インターネット等のネットワークによる通信を実行する。センサ群１０６は、加速度センサ、方位センサ、ジャイロセンサ等である。
【００１５】
電子機器１００は、ＣＰＵ１１６と不揮発性メモリ１２０に記憶されたプログラム（オペレーティングシステム、照明制御アプリケーションプログラム等の各種アプリケーションプログラム）との協働により、図２に示す各部を実現する。
【００１６】
本実施形態にかかる電子機器１００は、機能的構成として、図２に示すように、入力表示制御部１５１と、変換部１５２と、コマンド生成部１５３と、管理部１５４と、通信部１５５と、を主に備えている。なお、図２には、上述した不揮発性メモリ１２０も示している。
【００１７】
不揮発性メモリ１２０には、上記各種データとして、変換テーブルと、シーン設定パラメータと、送信間隔が記憶されている。変換テーブルは、タッチパネル１０２ｂ上でのタッチ位置の位置座標を、照明制御に関する２次元制御パラメータに対応付けたテーブルデータである。ここで、２次元制御パラメータとは、位置座標をｘ軸とｙ軸の座標で示す場合に、座標（ｘ，ｙ）に対応する少なくとも２つの制御パラメータ（制御パラメータ１，制御パラメータ２）を有するパラメータを指す。２次元制御パラメータは、一または複数の制御パラメータの一例である。
【００１８】
本実施形態では、２次元制御パラメータとして、（色調パラメータ，明るさパラメータ）と、（ＲＧＢパラメータ，明るさパラメータ）がある。色調パラメータとは、照明機器２００の色調を制御するための制御パラメータであり、電球色、昼白色、昼光色の割合を表すものである。明るさパラメータとは、照明機器２００の明るさを制御するための制御パラメータである。ＲＧＢパラメータとは、照明機器２００のＲＧＢのバランスを制御するための制御パラメータである。照明機器２００は、これらの制御パラメータの値に応じて、色調、明るさ、ＲＧＢのバランスを変更する。
【００１９】
このため、変換テーブルとしては、位置座標−（色調パラメータ，明るさパラメータ）変換テーブルと、位置座標−（ＲＧＢパラメータ，明るさパラメータ）変換テーブルの２つがある。位置座標−（色調パラメータ，明るさパラメータ）変換テーブルは、位置座標（ｘ，ｙ）に対応して、（色調パラメータ，明るさパラメータ）の値が定められており、ｘ座標が色調パラメータの値に、ｙ座標が明るさパラメータの値に対応付けられている。また、位置座標−（色調パラメータ，明るさパラメータ）変換テーブルは、位置座標（ｘ，ｙ）に対応して、（ＲＧＢパラメータ，明るさパラメータ）の値が定められており、ｘ座標がＲＧＢパラメータの値に、ｙ座標が明るさパラメータの値に対応付けられていることになる。
【００２０】
シーン設定パラメータは、予め各シーンに対応して調整された制御パラメータやユーザがお気に入りとして設定した制御パラメータを、シーン名称を付与して、シーンごとに登録したデータである。送信間隔は、タッチ操作が継続して行われている場合に、制御コマンドを送信する時間間隔である。
【００２１】
入力表示制御部１５１は、２次元制御パラメータの設定画面をグラフィクスコントローラ１１８を介して表示部１０２のディスプレイ１０２ａに表示する。この２次元制御パラメータの設定画面には、２次元制御パラメータの設定領域が表示される。
【００２２】
ここで、２次元制御パラメータの設定領域とは、２次元制御パラメータに応じた調整の状態を視覚的に示すとともに、タッチ操作により２次元制御パラメータの指定を行う領域である。この設定領域において、タッチ位置が２次元制御パラメータの値に対応している。
【００２３】
図３は、本実施形態の２次元制御パラメータ設定画面の一例を示す図である。図３では、２次元制御パラメータ設定画面は、ディスプレイ１０２ａの全面に表示される。また、図３では、２次元制御パラメータが（色調パラメータ、明るさパラメータ）である場合の設定領域が２次元制御パラメータ設定画面に表示されている。図３において、家型領域の部分が設定領域３０５となっており、この設定領域３０５は、照明機器２００の色調と明るさを調整するための領域である。
【００２４】
図３において原点を左下とする。また、図３において、横軸が位置座標におけるｘ軸を示すとともに、色調パラメータの値の範囲を示す。また、図３において、縦軸が位置座標におけるｙ軸を示すとともに、明るさパラメータの値の範囲を示す。上記位置座標−（色調パラメータ，明るさパラメータ）変換テーブルでは、図３の設定領域３０５内の位置座標に、電球色、昼白色、昼光色の割合を表す色調パラメータと明るさパラメータがマッピングされている。
【００２５】
そして、図３では、ｘ座標の色調パラメータ、ｙ座標の明るさパラメータに対応して、２つの制御パラメータに応じた照明の色調および明るさの状態を視覚的に示している。ここで、図３では、領域を区切り、かつハッチングで２つの制御パラメータに応じた色調および明るさの状態を示しているが、実際にはグラデーションで２つの制御パラメータに応じた色調および明るさの状態が描画される。
【００２６】
入力表示制御部１５１は、図３に示すような（色調パラメータ、明るさパラメータ）の設定領域３０５を、ディスプレイ１０２ａに表示する。そして、ユーザは、ディスプレイ１０２ａ上の設定領域３０５、すなわちタッチパネル１０２ｂ上の設定領域３０５において、所望の位置をタッチすることで、（色調パラメータ、明るさパラメータ）を指定する。
【００２７】
図４は、本実施形態の２次元制御パラメータ設定画面の他の例を示す図である。図４では、２次元制御パラメータ設定画面は、ディスプレイ１０２ａの全面に表示される。図４では、２次元制御パラメータ設定画面に、２次元制御パラメータが（ＲＧＢパラメータ、明るさパラメータ）である場合の設定領域が表示されている。図４において、カラーパレット領域が設定領域４０５となっており、設定領域４０５は、照明機器２００のＲＧＢのバランスを調整するための領域である。
【００２８】
図４においても原点を左下とする。また、図４において、横軸が位置座標におけるｘ軸を示すとともに、ＲＧＢパラメータの値の範囲を示す。図４において、縦軸が位置座標におけるｙ軸を示すとともに、明るさパラメータのとる値の範囲を示す。上記位置座標−（ＲＧＢパラメータ，明るさパラメータ）変換テーブルでは、図４の設定領域４０５内の位置座標に、ＲＧＢパラメータと明るさパラメータがマッピングされている。
【００２９】
そして、図４では、ｘ座標のＲＧＢパラメータ、ｙ座標の明るさパラメータに対応して、２つの制御パラメータに応じた照明のＲＧＢのバランスおよび明るさの状態を視覚的に示している。ここで、図４では、領域を区切り、かつハッチングで２つの制御パラメータに応じたＲＧＢのバランスおよび明るさの状態を示しているが、実際にはグラデーションで２つの制御パラメータに応じたＲＧＢのバランスおよび明るさの状態が描画される。
【００３０】
入力表示制御部１５１は、図４に示すような（ＲＧＢパラメータ、明るさパラメータ）の設定領域４０５を、ディスプレイ１０２ａに表示する。そして、ユーザは、ディスプレイ１０２ａ上の設定領域４０５、すなわちタッチパネル１０２ｂ上の設定領域４０５において、所望の位置をタッチすることで、（ＲＧＢパラメータ、明るさパラメータ）を指定する。
【００３１】
入力表示制御部１５１は、表示部１０２のタッチパネル１０２ｂに対するユーザのタッチ操作をタッチパネルコントローラ１１９を介して受け付ける。このとき、入力表示制御部１５１は、タッチパネル１０２ｂ上でのタッチ位置の位置座標を、タッチパネルコントローラ１１９から取得する。
【００３２】
ここで、ユーザは、タッチパネル１０２ｂに対するタッチ操作を継続して行う場合がある。具体的には、ユーザが指やスタイラスペン等でタッチパネル１０２ｂ上をタッチしてなぞる操作、すなわち、タッチした状態を維持しながら、指やスタイラスペン等を移動させるような操作である。
【００３３】
例えば、図３に示すように、（色調パラメータ、明るさパラメータ）の設定領域４０５において、ユーザが指をタッチ操作で符号３０１の位置から符号３０２の位置までなぞる操作である。すなわち、ユーザが指を符号３０１の位置でタッチ操作を開始して、そのまま指をタッチした状態で符号３０２まで移動して、指をタッチパネル１０２ｂから離すことによりタッチ操作を終了する。
【００３４】
また、図４においても、（ＲＧＢパラメータ、明るさパラメータ）の設定領域４０５において、ユーザが指をタッチ操作で符号４０１の位置から符号４０２の位置までなぞる操作を示している。
【００３５】
このような継続的なタッチ操作が検出された場合、入力表示制御部１５１は、移動中のタッチ位置の位置座標を定期的にタッチパネルコントローラ１１９から取得する。
【００３６】
変換部１５２は、タッチパネル１０２ｂでのタッチ操作の位置座標を、変換テーブルにおいて位置座標に対応付けられた２次元制御パラメータに変換する。すなわち、図３に示す設定領域３０５でユーザがタッチ操作を行った場合、変換部１５２は、タッチ操作の位置座標を、位置座標−（色調パラメータ，明るさパラメータ）変換テーブルにおいてマッピングされた色調パラメータと明るさパラメータとに変換する。また、図４に示す設定領域４０５でユーザがタッチ操作を行った場合、変換部１５２は、タッチ操作の位置座標を、位置座標−（ＲＧＢパラメータ，明るさパラメータ）変換テーブルにおいてマッピングされたＲＧＢパラメータと明るさパラメータとに変換する。
【００３７】
また、タッチ操作が継続して行われた場合に、変換部１５２は、定期的に取得されるタッチ位置の位置座標を、上記変換テーブルを参照して、逐次、２次元制御パラメータに変換する。このため、ユーザがタッチ操作を継続ながら指またはスタイラスペン等を速く移動する（なぞる）と、タッチ点の位置座標に対応する２次元制御パラメータが変化する速度が速くなる。一方、ユーザがタッチ操作を継続ながら指またはスタイラスペン等をゆっくりと移動する（なぞる）と、タッチ点の位置座標に対応する２次元制御パラメータが変化する速度が遅くなる。このため、切り替わる制御パラメータの差分が常に一定の従来技術に比べて、所望の色調、明るさ、ＲＧＢのバランスに到達するまでの時間が短時間とすることができる。
【００３８】
そして、変換部１５２は、継続的なタッチ操作が終了した時点、すなわち、ユーザが指やスタイラスペン等をタッチパネル１０２ｂから離した時点で、当該終了時点でのタッチ操作の位置座標から変換された２次元制御パラメータを確定する。
【００３９】
コマンド生成部１５３は、変換部１５２で得られる２次元制御パラメータを指定した制御コマンドを生成する。制御コマンドは、ＥＣＨＯＮＥＴ  Ｌｉｔｅ規格に準拠する。
【００４０】
通信部１５５は、コマンド生成部１５３によって生成された２次元制御パラメータが含まれた制御コマンドを、通信Ｉ／Ｆ１２３を介して照明機器２００に送信する。また、通信部１５５は、タッチ操作が継続して行われた場合に、不揮発性メモリ１２０から送信間隔を読み出し、継続的なタッチ操作の位置座標から変換された２次元制御パラメータを、送信間隔の時間ごとに、照明機器２００に送信する。ここで、送信間隔は、予め、照明機器２００からフェードパラメータを受信して、このフェードパラメータに基づいて定めておく。
【００４１】
ここで、フェードパラメータは、照明機器２００の制御パラメータ（色調パラメータ、明るさパラメータ、ＲＧＢパラメータ）が１段階変化するために要する時間である。フェードパラメータが大きい場合には、照明機器２００は長い時間で、色調、明るさ、ＲＧＢを変化させるため、送信間隔は長い時間に設定される。一方、フェードパラメータが小さい場合には、照明機器２００は短時間で、色調、明るさ、ＲＧＢを変化させるため、送信間隔は短い時間に設定される。このように、送信間隔が色調、明るさ、ＲＧＢの１段階の変化の時間に応じて定められるので、ユーザには、照明機器２００の照明の色調、明るさ、ＲＧＢ等が連続的に切り替わるようにみせることができる。
【００４２】
なお、本実施形態では、送信間隔を、照明機器２００のフェードパラメータに基づいて設定しているが、これに限定されるものではない。例えば、送信間隔を、照明機器２００の他の特性に応じて定めたり、任意に定めることができる。
【００４３】
また、本実施形態において通信部１５５は、必ずしも２次元制御パラメータである２つの制御パラメータを制御コマンドに含める必要はなく、一つの制御パラメータのみを含む制御コマンドを送信するように構成してもよい。例えば、図４の設定領域４０５において水平方向に移動するタッチ操作がある場合等においては、明るさパラメータは変化しないため、明るさパラメータとＲＧＢパラメータのうち、ＲＧＢパラメータのみを含む制御コマンドを送信しても良い。同様に、設定領域４０５において、垂直方向に移動するタッチ操作を受け付けた場合には、明るさパラメータのみを含む制御コマンドを送信しても良い。また、上記のように水平／垂直になぞる操作があった場合だけでなく、タッチ操作を受け付けた座標が対応する２次元制御パラメータのうち一方が、照明装置２００に現在設定されているパラメータと同一である場合にも、通信部１５５は他方のパラメータのみ含む制御コマンドを送信しても良い。
【００４４】
管理部１５４は、タッチ操作により設定した制御パラメータ（継続的なタッチ操作の少量により確定した制御パラメータも含む）を、ユーザの指示により不揮発性メモリに保存したり、保存された制御パラメータを呼び出す等の制御パラメータの管理を行う。
【００４５】
具体的には、ユーザが、図３、図４の設定領域３０５，４０５で制御パラメータの設定後（タッチ操作の終了後）、設定領域３０５，４０５の右下方に設けられたお気に入り設定ボタン３０６を押下すると、入力表示制御部１５１はタッチパネルコントローラ１１９を介して、このお気に入り設定ボタン３０６の押下イベントを検出する。
【００４６】
そして、お気に入り設定ボタン３０６の押下イベントが検出された場合、管理部１５４は、変換部１５２で確定された２次元制御パラメータを、お気に入りとして不揮発性メモリ１２０のシーン設定パラメータに保存する。お気に入りとして設定される２次元制御パラメータが複数存在する場合には、管理部１５４は、各２次元制御パラメータを、お気に入り１、お気に入り２等のように番号を付与して設定する。
【００４７】
不揮発性メモリ１２０には、このようにユーザがお気に入りとして設定した２次元制御パラメータの他、部屋の環境、状況等のシーン毎の、２次元制御パラメータがシーン設定パラメータとして保存されている。このようなシーン設定パラメータとしては、鮮やか、勉強、就寝、くつろぎ、シアター、ヒーリング等のシーンごとに２次元制御パラメータが不揮発性メモリ１２０に記憶されている。
【００４８】
入力表示制御部１５１は、照明制御アプリケーションプログラムの起動時やユーザによる設定開始時に、シーン選択画面を、ディスプレイ１０２ａに表示する。シーン選択画面には、図５に示すように、不揮発性メモリ１２０に設定された各シーンの制御パラメータを呼び出すためのボタンと、ユーザが登録したお気に入りの制御パラメータを呼び出すためのボタンが表示される。
【００４９】
ユーザは、シーン選択画面で所望のシーンまたはお気に入りのボタンを押下すると、入力表示制御部１５１は、かかるボタン押下のイベントを受付け、管理部１５４が、押下されたシーンまたはお気に入りの２次元制御パラメータを、不揮発性メモリ１２０のシーン設定パラメータから読み出して、通信部１５５は、読み出されたシーンまたはお気に入りの２次元制御パラメータを、照明機器２００に送信する。
【００５０】
次に、照明機器２００について説明する。本実施形態の照明機器２００は、機能的構成として、図６に示すように、通信部２０１と、制御部２０２と、点灯部２１０とを主に備えている。
【００５１】
点灯部２１０は、ＬＥＤ電球等の照明器具であり、赤色ＬＥＤ、緑色ＬＥＤ、青色ＬＥＤを用いている。通信部２０１は、電子機器１００から制御コマンドを受信する。制御部２０２は、通信部２０１で受信した制御コマンドから２次元制御パラメータを取得し、当該２次元制御パラメータに基づいて点灯部２１０の照明制御を行う。具体的には、制御部２０２は、制御コマンドに含まれる色調パラメータ、明るさパラメータ、ＲＧＢパラメータに従って、色調の切替え、明るさの切替え、ＲＧＢ値の切替えの制御を点灯部に対して行う。
【００５２】
なお、本実施形態では、照明機器２００の点灯部２１０をＬＥＤ電球としているが、一例であり、これに限定されるものではない。
【００５３】
次に、以上のように構成された本実施形態にかかる電子機器１００による照明制御処理について図７を用いて説明する。
【００５４】
入力表示制御部１５１は、タッチパネル１０２ｂからのタッチ操作の検出待ち状態となっている（ステップＳ１１：Ｎｏ）。入力表示制御部１５１は、タッチ操作が検出されると（ステップＳ１１：Ｙｅｓ）、タッチパネルコントローラ１１９からタッチ操作の位置座標を取得する（ステップＳ１２）。
【００５５】
そして、変換部１５２は、不揮発性メモリ１２０の変換テーブルを参照して、入力表示制御部１５１が取得した位置座標を、２次元制御パラメータに変換する（ステップＳ１３）。次に、コマンド生成部１５３は、２次元制御パラメータを指定した制御コマンドを生成する（ステップＳ１４）。そして、通信部１５５は、コマンド生成部１５３で生成された制御コマンドを、照明機器２００に送信する（ステップＳ１５）。
【００５６】
次に、入力表示制御部１５１は、タッチ操作が継続して検出されているか否かを判断する（ステップＳ１６）。そして、タッチ操作が継続して検出されている場合には（ステップＳ１６：Ｙｅｓ）、入力表示制御部１５１は、継続的なタッチ操作で定期的に取得されている位置座標をタッチパネルコントローラ１１９から取得する（ステップＳ１７）。そして、通信部１５５は、前回の制御コマンド送信時点から、送信間隔の時間が経過したか否かを判断する（ステップＳ１８）。そして、送信間隔の時間の経過前であれば（ステップＳ１８：Ｎｏ）、ステップＳ１７へ戻る。
【００５７】
一方、送信間隔の時間が経過したら（ステップＳ１８：Ｙｅｓ）、ステップＳ１３からＳ１５までの処理が繰り返し実行される。すなわち、変換部１５２は、ステップＳ１６で取得した位置座標を２次元パラメータに変換し（ステップＳ１３）、コマンド生成部１５３が２次元制御コマンドを含む制御コマンドを生成し（ステップＳ１４）、通信部１５５がこの制御コマンドを照明機器２００に送信する（ステップＳ１５）。
【００５８】
これにより、タッチ操作が継続して行われている場合には、送信間隔の時間ごとに、その時点でのタッチ操作の位置座標に対応する２次元制御パラメータが指定された制御コマンドが照明機器２００に送信されることになる。これにより、照明機器２００では、タッチ操作で指定領域がなぞられると、タッチ位置の変化に応じて照明の色調、明るさ、ＲＧＢ等が連続的に変化する。
【００５９】
ステップＳ１６で、タッチ操作が継続して検出されていない場合には（ステップＳ１６：Ｎｏ）、変換部１５２は、現時点での２次元制御パラメータを確定する（ステップＳ１９）。そして、入力表示制御部１５１は、お気に入りボタン３０６のユーザによる押下を検出したか否かを判断し（ステップＳ２０）、押下を検出したら（ステップＳ２０：Ｙｅｓ）、管理部１５４は、ステップＳ１９で確定された２次元制御パラメータを、シーン設定パラメータのお気に入りとして不揮発性メモリ１２０に保存する（ステップＳ２１）。一方、ステップＳ２０でお気に入りボタン３０６の押下が検出されなかった場合には（ステップＳ２０：Ｎｏ）、ステップＳ２１の処理は行われない。
【００６０】
このように本実施形態では、２次元制御パラメータの設定領域におけるタッチ操作でタッチ位置座標に応じた２次元制御パラメータを設定して照明機器２００を制御する場合において、ユーザがタッチ操作を継続して行った場合には、通信部１５５は、その時点での位置座標に応じた２次元制御パラメータが指定された制御コマンドを、送信間隔の時間ごとに送信している。このため、本実施形態では、より短時間で照明機器２００に対して所望の調整を行うことが可能となる。
【００６１】
すなわち、通常のリモートコントローラを用いた照明制御では、ユーザは、リモートコントローラのボタンを押下した状態を維持することにより、照明機器の調光を所望の明るさに切り替えたり、照明機器の調色を所望の色調に切替えることが可能となっている。しかし、このような技術では、リモートコントローラのボタンを押下した状態を維持することで、定期的に切り替わる色調パラメータ、明るさパラメータの差分が一定であるため、所望の色調、明るさに達するまで時間を要する。
【００６２】
これに対して本実施形態では、ユーザがタッチ操作を継続して行った場合には、通信部１５５が、その時点での位置座標に応じた２次元制御パラメータが指定された制御コマンドを、送信間隔の時間ごとに送信しているので、タッチ操作を継続しながら指またはスタイラスペン等を速く移動する（なぞる）と、タッチ点の位置座標に対応する２次元制御パラメータが変化する速度が速くなり、この結果、照明機器２００の照明の色調、明るさ、ＲＧＢ値を、ユーザの所望のなぞる速さに応じて切り替えることができる。従って、実施形態によれば、より短時間で照明機器２００に対して所望の調整を行うことが可能となる。
【００６３】
また、本実施形態では、タッチ操作を継続して行われた場合の制御コマンドの送信間隔は、照明機器２００のフェードパラメータに基づいて定められている。このため、本実施形態によれば、ユーザに対して、照明機器２００の照明の色調、明るさ等が連続的に切り替わるようにみせることができる。
【００６４】
また、本実施形態では、管理部１５４が確定した２次元制御パラメータをお気に入りとして保存しているので、ユーザの好みの色調、明るさ、ＲＧＢ値等を照明機器２００に対して容易に再現させることができる。
【００６５】
（変形例）
２次元制御パラメータの設定画面において、照明機器２００に既に設定されている確定した２次元制御パラメータが示す色表示と、現在、２次元制御パラメータの設定領域でタッチしている位置座標に対応する２次元制御パラメータが示す色表示とを、２次元制御パラメータの設定画面に並列に表示するように、入力表示制御部１５１、管理部１５４等を構成してもよい。
【００６６】
例えば、具体的には、ＲＧＢパラメータ，明るさパラメータを設定する際の設定画面において、管理部１５４が不揮発性メモリ１２０に保存されているシーン設定パラメータから、お気に入り等の確定したＲＧＢパラメータ，明るさパラメータを読み出す。そして、入力表示制御部１５１が読み出したＲＧＢパラメータ，明るさパラメータに対応する色を、図８に示すように、「お気に入り１の色」および「お気に入り２の色」の色表示８０２として設定画面に表示する。
【００６７】
また、入力表示制御部１５１は、変換部１５２により現在のタッチ位置の位置座標から変換された（ＲＧＢパラメータ，明るさパラメータ）に対応する色を、図８に示すように、「新しい色」の色表示８０１としての設定画面に表示する。タッチ位置がなぞるように移動されると、この移動に伴い、「新しい色」の色表示８０１が変化していく。
【００６８】
このように、入力表示制御部１５１は、設定済みの２次元制御パラメータによる色表示と、現在設定中の２次元制御パラメータによる色表示とを並列に表示しているので、ユーザは設定中の２次元制御パラメータの変更の是非を容易に判断することができる。
【００６９】
また、図３、図４に示す２次元制御パラメータの設定領域上で、照明機器２００に現在設定されている制御パラメータの値に対応する位置座標に、カーソルを表示するように入力表示制御部１５１を構成してもよい。
【００７０】
上記実施形態では、図３、図４に示すような２次元制御パラメータの設定画面を表示部１０２のディスプレイ１０２ａの全面に表示していたが、これに限定されるものではない。例えば、図９に示すように、２次元制御パラメータの設定画面９０２をディスプレイ１０２ａの画面全体７０１の一部に表示するように、入力表示制御部１５１を構成してもよい。
【００７１】
また、上記実施形態では、一または複数の制御パラメータとして、２つの制御パラメータ（２次元制御パラメータ）を用いているが、これに限定されるものではなく、単一の制御パラメータを照明制御に用いるように構成してもよい。例えば、明るさを一定とする場合には、色調パラメータあるいはＲＧＢパラメータの単一の制御パラメータのみを用いることができる。このように単一の制御パラメータを用いる場合には、図３、４に示すような設定画面を、例えば、横軸あるいは縦軸の一次元の軸のみで制御パラメータの指定をユーザに行わせるように構成すればよい。
【００７２】
また、上記実施形態では、電子機器１００は、単一の照明機器２００を制御することを例としてあげて説明したが、これに限定されるものではなく、複数の照明機器２００を、単一の電子機器１００で制御するように構成してもよい。この場合、複数の照明機器２００のそれぞれに別個の制御パラメータを設け、複数の照明機器２００のそれぞれを別個に照明制御を行うように構成することができる。また、複数の照明機器２００に共通する制御パラメータを設け、当該共通の制御パラメータの変更により複数の照明機器２００に共通の照明制御を行うように構してもよい。
【００７３】
なお、本実施形態の電子機器１００で実行される照明制御アプリケーションプログラムは、不揮発性メモリ１２０やＲＯＭ（不図示）等に予め組み込まれて提供される。
【００７４】
本実施形態の電子機器１００で実行される照明制御アプリケーションプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７５】
さらに、本実施形態の電子機器１００で実行される照明制御アプリケーションプログラムを、インターネット等のネットワークに接続されたコンピュータ上に格納し、ネットワーク経由でダウンロードさせることにより提供するように構成しても良い。また、本実施形態の電子機器１００で実行される照明制御アプリケーションプログラムをインターネット等のネットワーク経由で提供または配布するように構成しても良い。
【００７６】
本実施形態の電子機器１００で実行される照明制御アプリケーションプログラムは、上述した各部（入力表示制御部１５１、変換部１５２、コマンド生成部１５３、管理部１５４、通信部１５５）を含むモジュール構成となっており、実際のハードウェアとしてはＣＰＵ（プロセッサ）が上記ＲＯＭから照明制御アプリケーションプログラムを読み出して実行することにより上記各部がＲＡＭ１２１上にロードされ、入力表示制御部１５１、変換部１５２、コマンド生成部１５３、管理部１５４、通信部１５５がＲＡＭ１２１上に生成されるようになっている。
【００７７】
さらに、ここに記述されたシステムの種々のモジュールは、ソフトウェア・アプリケーション、ハードウェアおよび／またはソフトウェア・モジュール、あるいはサーバのような1台以上のコンピュータ上のコンポーネントとしてインプリメントすることができる。種々のモジュールは、別々に説明されているが、それらは同じ根本的なロジックかコードのうちのいくつかあるいはすべてを共有してもよい。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１００  電子機器
１０２  表示部
１０２ａ  ディスプレイ
１０２ｂ  タッチパネル
１５１  入力表示制御部
１５２  変換部
１５３  コマンド生成部
１５４  管理部
１５５  通信部
２００  照明機器
２０１  通信部
２０２  制御部
３０５，４０５  設定領域
３０６  お気に入りボタン
【図１】
2015046261.tif 000003
【図２】
2015046261.tif 000004
【図５】
2015046261.tif 000005
【図６】
2015046261.tif 000006
【図７】
2015046261.tif 000007
【図３】
2015046261.tif 000008
【図４】
2015046261.tif 000009
【図８】
2015046261.tif 000010
【図９】
2015046261.tif 000011